【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
式（I）
【化１】
2016020485.tif 000001
（式中、R1、R2およびR3は、それぞれ独立に、H、アルキル、アルケニル、アルキニルおよびアリールからなる群から選択され、nは1から10の範囲であり、mは1から200の範囲であり、pは2から1,000の範囲である）
の改質シリコーン樹脂であって、約500cStから約10,000cStの範囲の粘度を有する、改質シリコーン樹脂。
【請求項２】
mが1から100の範囲であり、pが10から500の範囲である、請求項1に記載の改質シリコーン樹脂。
【請求項３】
R1、R2およびR3が、それぞれ独立に、H、C1−8アルキル、C2−8アルケニル、C2−8アルキニルおよびアリールからなる群から選択される、請求項2に記載の改質シリコーン樹脂。
【請求項４】
R1、R2およびR3が、それぞれ独立に、メチル、エチル、プロピル、ブチル、エチレニル、プロピレニル、ブチレニル、アセチレニル、ジアセチレニルおよびアリールからなる群から選択される、請求項3に記載の改質シリコーン樹脂。
【請求項５】
R1、R2およびR3が、それぞれ独立に、メチルおよびフェニルからなる群から選択される、請求項4に記載の改質シリコーン樹脂。
【請求項６】
前記改質シリコーン樹脂が、
【表１】
2016020485.tif 000002
2016020485.tif 000003
からなる群から選択され、
式中、nは1から10の範囲であり、mは5から100の範囲であり、pは10から500の範囲である、請求項5に記載の改質シリコーン樹脂。
【請求項７】
nとmの比が約1：1から約1：200の範囲である、請求項1に記載の改質シリコーン樹脂。
【請求項８】
少なくとも1つの式（I）
【化２】
2016020485.tif 000004
の改質シリコーン樹脂
（式中、R1、R2およびR3は、それぞれ独立に、H、アルキル、アルケニル、アルキニルおよびアリールからなる群から選択され、nは1から10の範囲であり、mは1から200の範囲であり、pは2から1,000の範囲である。）と、
少なくとも1つの金属酸化物と、
少なくとも1つの硬化剤と
を含む、エラストマー配合物。
【請求項９】
nが1から3の範囲であり、mが1から100の範囲であり、pが10から500の範囲である、請求項8に記載のエラストマー配合物。
【請求項１０】
R1、R2およびR3が、それぞれ独立に、H、C1−8アルキル、C2−8アルケニル、C2−8アルキニルおよびアリールからなる群から選択される、請求項9に記載のエラストマー配合物。
【請求項１１】
R1、R2およびR3が、それぞれ独立に、メチル、エチル、プロピル、ブチル、エチレニル、プロピレニル、ブチレニル、アセチレニル、ジアセチレニルおよびアリールからなる群から選択される、請求項10に記載のエラストマー配合物。
【請求項１２】
R1、R2およびR3が、それぞれ独立に、メチルおよびフェニルからなる群から選択される、請求項11に記載のエラストマー配合物。
【請求項１３】
前記少なくとも1つの改質シリコーン樹脂が、以下
【表２】
2016020485.tif 000005
2016020485.tif 000006
（式中、nは1から10の範囲であり、mは5から100の範囲であり、pは10から500の範囲である）
のうちの少なくとも1つを含む、請求項12に記載のエラストマー配合物。
【請求項１４】
前記少なくとも1つの金属酸化物が、酸化鉄、酸化チタン、酸化セリウム、酸化亜鉛および酸化ジルコニウムのうちの少なくとも1つを含む、請求項8に記載のエラストマー配合物。
【請求項１５】
前記少なくとも1つの金属酸化物が、酸化鉄および酸化チタンのうちの少なくとも1つを含む、請求項8に記載のエラストマー配合物。
【請求項１６】
前記少なくとも1つの金属酸化物が、約1ナノメートルから約5マイクロメートルの範囲の粒径を有する、請求項8に記載のエラストマー配合物。
【請求項１７】
n、mおよびpの値が、約500cStから約10,000cStの範囲の粘度を有する式（I）の化合物をもたらす、請求項8に記載のエラストマー配合物。
【請求項１８】
nとmの比が約1：1から約1：200の範囲である、請求項8に記載のエラストマー配合物。
【請求項１９】
前記少なくとも1つの式（I）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つの硬化剤が、約0.10重量パーセントから約10重量パーセントの範囲の量で存在する、請求項8に記載のエラストマー配合物。
【請求項２０】
少なくとも１つの式（II）
【化３】
2016020485.tif 000007
（式中、R6、R7、R8、R9、R10、およびR11は、それぞれ独立に、H、アルキル、アルケニル、アルキニルおよびアリールからなる群から選択され、Xは、アリーレン、遷移金属、シルセスキオキサン、
【化４】
2016020485.tif 000008
（式中、R21、R22、R23、R24、R25、R55、およびR56は、それぞれ独立に、メチル、プロポキシ、ブトキシ、およびフェニルからなる群から選択される。）からなる群から選択され、tは1から10の範囲であり、yは1から200の範囲であり、zは1から1,000の範囲である。）
の改質シリコーン樹脂をさらに含む、請求項8に記載のエラストマー配合物。
【請求項２１】
前記式（II）の改質シリコーン樹脂において、tは1から3の範囲であり、yは1から100の範囲であり、zは10から500の範囲である、請求項20に記載のエラストマー配合物。
【請求項２２】
前記式（II）の改質シリコーン樹脂において、R6、R7、R8、R9、R10、およびR11が、それぞれ独立に、H、C1−8アルキル、C2−8アルケニル、C2−8アルキニルおよびアリールからなる群から選択される、請求項20に記載のエラストマー配合物。
【請求項２３】
前記式（II）の改質シリコーン樹脂において、R6、R7、R8、R9、R10、およびR11が、それぞれ独立に、メチル、エチル、プロピル、ブチル、エチレニル、プロピレニル、ブチレニル、アセチレニル、ジアセチレニルおよびアリールからなる群から選択される、請求項22に記載のエラストマー配合物。
【請求項２４】
前記式（II）の改質シリコーン樹脂において、R6、R7、R8、R9、R10、およびR11が、それぞれ独立に、メチルおよびフェニルからなる群から選択される、請求項23に記載のエラストマー配合物。
【請求項２５】
前記少なくとも1つの式（I）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つの硬化剤が、約0.10重量パーセントから約10重量パーセントの範囲の量で存在する、請求項24に記載のエラストマー配合物。
【請求項２６】
以下
【表３】
2016020485.tif 000009
（ここで、樹脂(i)は
【化５】
2016020485.tif 000010
であり、樹脂(No.2)は
【表４】
2016020485.tif 000011
である。）の配合物の少なくとも１つを含む、請求項25に記載のエラストマー配合物。
【請求項２７】
前記酸化鉄が、約10nmから約5μmの範囲の粒径を有するFe2O3を含み、前記硬化剤が、ジブチルチンジラウラート、トリス（ジメチルアミノ）メチルシランおよびエチルトリアセトキシシランのうちの少なくとも1つである、請求項26に記載のエラストマー配合物。
【請求項２８】
少なくとも1つのシリケートをさらに含む、請求項24に記載のエラストマー配合物。
【請求項２９】
前記少なくとも1つのシリケートが、エチルシリケート、メチルシリケート、イソプロピルシリケートおよびブチルシリケートのうちの少なくとも1つを含む、請求項28に記載のエラストマー配合物。
【請求項３０】
前記少なくとも1つの式（I）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つのシリケートが、0重量パーセント超から約25重量パーセントの範囲の量で存在し、
前記少なくとも1つの硬化剤が、約0.10重量パーセントから約10重量パーセントの範囲の量で存在する、請求項29に記載のエラストマー配合物。
【請求項３１】
以下
【表５】
2016020485.tif 000012
（ここで、樹脂(i)は
【化６】
2016020485.tif 000013
であり、樹脂(ii)は
【化７】
2016020485.tif 000014
であり、樹脂(No.2)は
【表６】
2016020485.tif 000015
である。）の配合物の少なくとも１つを含む、請求項30に記載のエラストマー配合物。
【請求項３２】
前記酸化鉄が、約10nmから約5μmの範囲の粒径を含むFe2O3を含み、前記硬化剤が、ジブチルチンジラウラート、トリス（ジメチルアミノ）メチルシランおよびエチルトリアセトキシシランのうちの少なくとも1つである、請求項31に記載のエラストマー配合物。
【請求項３３】
少なくとも1つのシリカをさらに含む、請求項24に記載のエラストマー配合物。
【請求項３４】
前記少なくとも1つのシリカが、ヒュームドシリカおよび官能化されたシリカのうちの少なくとも1つを含む、請求項33に記載のエラストマー配合物。
【請求項３５】
前記少なくとも1つの式（I）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つのシリカが、0重量パーセント超から約20重量パーセントの範囲の量で存在し、
前記少なくとも1つの硬化剤が、約0.10重量パーセントから約10重量パーセントの範囲の量で存在する、請求項34に記載のエラストマー配合物。
【請求項３６】
少なくとも1つのシリケートおよび少なくとも1つのシリカをさらに含む、請求項24に記載のエラストマー配合物。
【請求項３７】
前記少なくとも1つのシリケートが、エチルシリケート、メチルシリケート、イソプロピルシリケートおよびブチルシリケートのうちの少なくとも1つを含み、前記少なくとも1つのシリカが、ヒュームドシリカおよび官能化されたシリカのうちの少なくとも1つを含む、請求項36に記載のエラストマー配合物。
【請求項３８】
前記少なくとも1つの式（I）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つのシリケートが、0重量パーセント超から約25重量パーセントの範囲の量で存在し、
前記少なくとも1つのシリカが、0重量パーセント超から約20重量パーセントの範囲の量で存在し、
前記少なくとも1つの硬化剤が、約0.10重量パーセントから約10重量パーセントの範囲の量で存在する、請求項37に記載のエラストマー配合物。
【請求項３９】
【表７】
2016020485.tif 000016
（ここで、樹脂(i)は
【化８】
2016020485.tif 000017
であり、樹脂(No.2)は
【表８】
2016020485.tif 000018
である。）である、請求項38に記載のエラストマー配合物。
【請求項４０】
前記酸化鉄が、約0.5μmから約5μmの範囲の粒径を有するFe2O3を含み、前記硬化剤が、ジブチルチンジラウラート、トリス（ジメチルアミノ）メチルシランおよびエチルトリアセトキシシランのうちの少なくとも1つである、請求項39に記載のエラストマー配合物。